(57)【要約】      （修正有）【課題】消臭効果を有する複合布地及びその複合布地を用いた布製品を提供する。【解決手段】布地で形成された表面層１２と、不織布で形成された裏面層１４とを備える複合布地１０であって、布地は、通気性を有し、不織布は、消臭機能付き不織布であり、表面層と裏面層の少なくとも一部を結合する結合部１６を備えている。【選択図】図１
0003228423.tif 000002
【実用新案登録請求の範囲】
【請求項１】
布地で形成された表面層と、不織布で形成された裏面層とを備える複合布地であって、
前記布地は、通気性を有し、前記不織布は、消臭機能付き不織布であり、
前記表面層と前記裏面層の少なくとも一部が結合されている
ことを特徴とする複合布地。
【請求項２】
前記表面層と前記裏面層の少なくとも一部が縫合されている
ことを特徴とする請求項１に記載の複合布地。
【請求項３】
前記表面層と前記裏面層が格子状に結合されている
ことを特徴とする請求項１又は請求項２に記載の複合布地。
【請求項４】
請求項１〜３のいずれかに記載の複合布地を少なくとも一部の領域に備える
ことを特徴とする布製品。
【請求項５】
かばん、ペット用ベッド又はショルダーハーネスである
ことを特徴とする請求項４に記載の布製品。
【請求項６】
前記複合布地の前記表面層が、前記布製品の表面となるように配されている
ことを特徴とする請求項４又は請求項５に記載の布製品。
【考案の詳細な説明】
【技術分野】
【０００１】
本考案は、複合布地及びその複合布地を用いた布製品に関する。
【背景技術】
【０００２】
従来、かばん等の布製品において、着用者の身体と接する箇所や収容物品と接する箇所等には、繊維のスレの発生等を防止するためのコーティングが施されている。例えば特許文献１には、炭素繊維と絹繊維の複合繊維織物に樹脂加工を施すことによりフライ（毛羽立ち）及びスレの発生を抑えた樹脂加工複合繊維織物を、衣服やかばんの材料として用いることが記載されている。
【先行技術文献】
【特許文献】
【０００３】
【特許文献１】特開２０１１−１６２８９７号公報
【考案の概要】
【考案が解決しようとする課題】
【０００４】
かばん等の布製品は、使用していくうちに臭いや汚れが付着し、悪臭を発生させることがある。特許文献１に記載の樹脂加工複合繊維織物には、消臭効果がなく、かばん等の臭いを除去することができないという問題がある。
【０００５】
そこで、本考案は、消臭効果を有する複合布地及びその複合布地を用いた布製品を提供することを目的とする。
【課題を解決するための手段】
【０００６】
本考案は、布地で形成された表面層と、不織布で形成された裏面層とを備える複合布地であって、前記布地は、通気性を有し、前記不織布は、消臭機能付き不織布であり、前記表面層と前記裏面層の少なくとも一部が結合されていることを特徴とする複合布地に関する。
【０００７】
本考案に係る複合布地は、前記表面層と前記裏面層の少なくとも一部が縫合されても良い。
【０００８】
本考案に係る複合布地は、前記表面層と前記裏面層が格子状に結合されても良い。
【０００９】
本考案に係る布製品は、上述した複合布地を少なくとも一部の領域に備えることを特徴とする。
【００１０】
本考案に係る布製品は、かばん、ペット用ベッド又はショルダーハーネスであっても良い。
【００１１】
本考案に係る布製品は、前記複合布地の前記表面層が、前記布製品の表面となるように配されていることが好ましい。
【考案の効果】
【００１２】
本考案によれば、消臭効果を有する複合布地及びその複合布地を用いた布製品を提供することができる。
【図面の簡単な説明】
【００１３】
【図１】本考案の一実施形態に係る複合布地を概略的に示す斜視図である。
【図２】図１のＡ−Ａ´線に沿った断面図である。
【図３】第１実施形態に係る布製品（かばん）を概略的に示す斜視図である。
【図４】第２実施形態に係る布製品（ペット用ベッド）を概略的に示す斜視図である。
【図５】第３実施形態に係る布製品（リュックサック）を概略的に示す斜視図である。
【考案を実施するための形態】
【００１４】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。また、図面は、本考案を示すために適宜強調や省略、比率の調整を行った模式的な図となっており、実際の形状や位置関係、比率とは異なる場合がある。
【００１５】
まず、本考案の本実施形態に係る複合布地１０について、図１及び図２を用いて説明する。本実施形態に係る複合布地１０は、布地と不織布を積層させたキルト生地であり、概略的には、布地で形成された表面層１２と、不織布で形成された裏面層１４と、表面層１２と裏面層１４の少なくとも一部を結合する結合部１６とを備えている。
【００１６】
表面層１２は、図１に示すように、大気圧下において表面層１２から裏面層１４に亘って空気を通過させることが可能な通気性を有する布地から形成されている。表面層１２に使用される布地としては、例えば、綿、ポリエステル、アクリル等の合成繊維または天然繊維等の織物や編物等を好適に用いることが可能であるが、これに限定されず、上述した通気性を有する限りにおいて、従来の布製品に使用される種々の公知の布地を用いることができる。なお、「通気性」とは、空気が通過する性質を意味する。
【００１７】
裏面層１４は、図２に示すように、消臭効果を有する不織布（消臭機能付き不織布）から形成されている。なお、不織布の製造方法は、特に限定されないが、例えば、エアスルー法、スパンボンド法、ニードルパンチ法、メルトブローン法、カード法、熱融着法、水流交絡法、溶剤接着法から選択される方法等により製造される。
【００１８】
裏面層１４を構成する消臭機能付き不織布としては、繊維物質に対して放射線グラフト重合処理が施された不織布を好適に用いることが可能である。このような不織布を用いる場合には、繊維物質（原糸）に対して消臭機能を強く化学結合させることができ、悪臭成分、例えばアンモニア、酢酸、硫化水素、メチルメルカプタン、アセトアルデヒド、ピリジン、トリメチルアミン、イソ吉草酸、ノネナール、インドール等を化学反応で消臭することができる。
【００１９】
また、このような繊維物質に対して放射線グラフト重合処理が施された不織布によれば、物理的に消臭成分を付着させた不織布と比較して、消臭成分が立体的になっているので、接触効率が良く、悪臭をすばやく消臭することができ、また、消臭成分を多く結合することで臭いを吸着する容量を大きくすることができるという利点を有する。また、化学反応により繊維物質の分子と結合するため、洗濯等により消臭機能が欠落することがなく、臭いの再放出等も生じないという利点を有する。さらに、香水やアロマ等の良い香りは残しながら、アンモニア等の悪臭だけを選択的に消臭することができるという利点も有する。またさらに、消臭効果だけではなく、抗菌効果も付与することが可能である。
【００２０】
なお、消臭機能付き不織布としては、このような繊維物質に対して放射線グラフト重合処理が施された不織布に限定されず、消臭機能が事前又は事後的に付与された種々の不織布を任意に採用することが可能である。
【００２１】
結合部１６は、表面層１２（布地）と裏面層１４（不織布）の少なくとも一部を糸で縫合することにより形成されている。具体的には、結合部１６は、図１に示すように、格子状に縫合されることにより形成されている。より具体的には、結合部１６は、一方向に延びる第１の縫い目１６ａと、第１の縫い目１６ａが延びる方向に対して交差（直交）する方向に延びる第２の縫い目１６ｂとを有している。
【００２２】
第１の縫い目１６ａは、その延在方向と直交する方向に間隔をおいて複数形成されている。また、第２の縫い目１６ｂは、その延在方向と直交する方向に間隔をおいて複数形成されている。結合部１６は、第１の縫い目１６ａと第２の縫い目１６ｂが交差を繰り返すことで、全体として格子状に形成されている。
【００２３】
そして、格子状に縫合されることにより、第１の縫い目１６ａの延在方向及び第２の縫い目１６ｂの延在方向の双方において強度を確保することができ、表面層１２（布地）と裏面層１４（不織布）の剥離を防止することができる。なお、結合部１６の縫い方は、表面層１２（布地）と裏面層１４（不織布）が剥離しない方法であれば、種々の公知の縫い方を採用することが可能である。
【００２４】
以上説明したとおり、本実施形態における複合布地１０は、布地で形成された表面層１２と、不織布で形成された裏面層１４とを備える複合布地１０であって、布地は、通気性を有し、不織布は、消臭機能付き不織布であり、表面層１２と裏面層１４の少なくとも一部が結合されている。
【００２５】
このような構成を備える複合布地１０によれば、布地で形成された表面層１２により機械強度を確保しつつ、消臭機能付き不織布で形成された裏面層１４により消臭効果を得ることが可能となる。特に、表面層１２と裏面層１４が格子状に結合されていることにより、結合部１６の面積が増え、第１の縫い目１６ａの延在方向及び第２の縫い目１６ｂの延在方向の双方において強度を確保することができると共に、複合布地１０の破断や、表面層１２（布地）と裏面層１４（不織布）の剥離及び糸のスリップ・ほつれ等を防ぐことができる。
【００２６】
［第１実施形態］
次に、本考案の第１実施形態に係る布製品について、図３を用いて説明する。第１実施形態に係る布製品は、上述した複合布地１０を少なくとも一部の領域に用いたかばん２０である。
【００２７】
第１実施形態に係るかばん２０は、図３に示すように、物品を収容するかばん本体２２と、該かばん本体２２に取り付けられた一対の持ち手部２４とを有しており、複合布地１０を少なくとも一部の領域に備えている。
【００２８】
かばん本体２２は、該かばん本体２２の外側表面を形成する外面２６と、該かばん本体２２の内側表面を形成する内面２８とを有する。かばん本体２２は、外気と触れる箇所、具体的には、外面２６及び内面２８の少なくとも一方に、上述した複合布地１０を用いることが好ましく、本実施形態では、かばん本体２２の内面２８に複合布地１０を用いている。
【００２９】
外面２６及び持ち手部２４は、上述した複合布地１０を用いても良く、また、例えば、綿、ポリエステル、アクリル等の合成繊維または天然繊維等の材料で作られた布地、合皮または本革等で形成された革材等、かばん類に通常使用される公知のものを任意に用いることも可能である。
【００３０】
内面２８は、複合布地１０により形成されており、具体的には、複合布地１０の表面層１２が、かばん２０の内面２８（表面）となるように配されている。本実施形態では、複合布地１０の表面層１２が、かばん本体２２の内部空間に向けて露出する面となるように配されている。複合布地１０の結合部１６は、内面２８を強化し、布地（表面層１２）と不織布（裏面層１４）の剥離を防止する機能を有している。
【００３１】
以上の第１実施形態に係るかばん２０において、かばん２０の内面２８が複合布地１０で形成されていることで、消臭効果を得ることができる。すなわち、第１実施形態に係るかばん２０では、かばん本体２２の内部空間の空気が表面層１２を介して消臭機能付き不織布からなる裏面層１４に至り、該裏面層１４において消臭されるため、かばん本体２２の内部空間における悪臭の発生を可及的に防止することが可能となる。また、裏面層１４（消臭機能付き不織布）よりも強度の高い表面層１２（布地）がかばん本体２２の内面２８を構成するため、消臭機能付き不織布（裏面層１４）単独で用いる場合又は裏面層１４がかばん本体２２の内面２８を構成する場合と比較して、機械的強度に優れたかばん２０とすることが可能となる。
【００３２】
なお、かばん２０は、上述した複合布地１０を少なくとも一部の領域に備えるものであれば、図示の形状や上記の構造に限定されるものではなく、従来のかばん類に使用される公知の形状及び構造を採用することができる。
【００３３】
［第２実施形態］
本考案の第２実施形態に係る布製品について、図４を用いて説明する。第２実施形態に係る布製品は、上述した複合布地１０を少なくとも一部の領域に用いたペット用ベッド３０である。
【００３４】
第２実施形態に係るペット用ベッド３０は、図４に示すように、マット３４と、マット３４を囲い込むように形成された枠部３２とを有しており、複合布地１０を少なくとも一部の領域に備えている。
【００３５】
マット３４は、ペットと接触する表面３６と、該表面３６の反対面である裏面（図示せず）と、表面３６と裏面との間に充填されたクッション材とを有している。マット３４は、ペットや外気と触れる箇所に上述した複合布地１０を用いることが好ましく、本実施形態では、表面３６に複合布地１０を用いている。
【００３６】
表面３６は、複合布地１０により形成されており、具体的には、複合布地１０の表面層１２が、マット３４の表面３６となるように配されている。本実施形態では、複合布地１０の表面層１２が、ペット用ベッド３０のペットが寝る空間に向けて露出する面となるように配されている。複合布地１０の結合部１６は、表面３６を強化し、布地（表面層１２）と不織布（裏面層１４）の剥離を防止する機能を有している。
【００３７】
枠部３２は、マット３４が配置される底部（図示せず）と、該底部からマット３４の周縁を囲むように上方に立設された側壁とを有している。枠部３２は、ペットや外気と触れる箇所に上述した複合布地１０を用いても良く、また、ペット用ベッド類に通常使用される公知の素材を任意に用いることも可能である。
【００３８】
以上の第２実施形態に係るペット用ベッド３０において、マット３４の表面３６が複合布地１０で形成されていることで、マット３４の表面３６において消臭効果を得ることができる。すなわち、第２実施形態に係るペット用ベッド３０では、ペットの臭いや外気の臭い等が表面層１２を介して消臭機能付き不織布からなる裏面層１４に至り、該裏面層１４において消臭されるため、表面３６における悪臭の発生を可及的に防止することが可能となる。また、裏面層１４（消臭機能付き不織布）よりも肌触りの良い表面層１２（布地）がマット３４の表面３６を構成するため、消臭機能付き不織布（裏面層１４）単独で用いる場合又は裏面層１４がマット３４の表面３６を構成する場合と比較して、快適なペット用ベッド３０とすることが可能となる。
【００３９】
なお、ペット用ベッド３０は、上述した複合布地１０を少なくとも一部の領域に備えるものであれば、図示の形状や上記の構造に限定されるものではなく、従来のペット用ベッドに使用される公知の形状及び構造を採用することができる。特に、第２実施形態に係るペット用ベッド３０において、複合布地１０の結合部１６は、ペットの肌触りや引っ掛かり防止の観点から、図示の格子状ではなく、表面層１２（布地）及び不織布（裏面層１４）の周縁のみを結合する構成を採用することが好ましい場合もあり得る。
【００４０】
［第３実施形態］
本考案の第３実施形態に係る布製品について、図５を用いて説明する。第３実施形態に係る布製品は、上述した複合布地１０を少なくとも一部の領域に用いたリュックサック４０である。
【００４１】
第３実施形態に係るリュックサック４０は、図５に示すように、物品を収容する収容部４２と、該収容部４２の上端から下端に亘って取り付けられ他左右一対のショルダーハーネス４４とを有しており、複合布地１０を少なくとも一部の領域に備えている。
【００４２】
収容部４２は、該収容部４２の外側表面を形成する外面４５と、該収容部４２の内側表面を形成する内面（図示せず）とを有する。また、外面４５は、着用者の背中に接する背当て部５０を有している。収容部４２は、外気と触れる箇所、具体的には、外面４５及び内面の少なくとも一方に、上述した複合布地１０を用いることが好ましく、本実施形態では、収容部４２の内面及び外面４５の背当て部５０に複合布地１０を用いている。
【００４３】
具体的には、第３実施形態に係るリュックサック４０では、複合布地１０の表面層１２により収容部４２の内面（収容部４２の内部空間に向けて露出する面）が形成されるように、収容部４２内に複合布地１０が配されている。また、第３実施形態に係るリュックサック４０では、複合布地１０の表面層１２により収容部４２の外面４５の背当て部５０（着用者の背中に接する面）が形成されるように、収容部４２の外面４５に複合布地１０が配されている。複合布地１０の結合部１６は、収容部４２の内面及び背当て部５０を強化し、布地（表面層１２）と不織布（裏面層１４）の剥離を防止する機能を有している。
【００４４】
ショルダーハーネス４４は、着用者と接触する内面４８と、該内面４８の反対面である外面４６とを有している。外面４６は、上述した複合布地１０を用いても良く、また、例えば、綿、ポリエステル、アクリル等の合成繊維または天然繊維等の材料で作られた布地、合皮または本革等で形成された革材等、ショルダーハーネスに通常使用される公知のものを任意に用いることが可能である。内面４８は、複合布地１０で形成されており、具体的には、複合布地１０の表面層１２が、ショルダーハーネス４４の内面４８（着用者の肩等に接する面）となるように配されている。複合布地１０の結合部１６は、内面４８を強化し、布地（表面層１２）と不織布（裏面層１４）の剥離を防止する機能を有している。
【００４５】
以上の第３実施形態に係るリュックサック４０において、リュックサック４０の収容部４２の内面及び背当て部５０並びにショルダーハーネス４４の内面４８が複合布地１０で形成されていることで、収容部４２の内部空間や着用者と触れる部分において、消臭効果を得ることができる。
【００４６】
すなわち、第３実施形態に係るリュックサック４０では、収容部４２の内部空間の空気や、着用者の臭いや外気の臭い等が表面層１２を介して消臭機能付き不織布からなる裏面層１４に至り、該裏面層１４において消臭されるため、収容部４２の内部空間における悪臭の発生や、着用者と触れる部分における悪臭の発生を可及的に防止することが可能となる。また、裏面層１４（消臭機能付き不織布）よりも強度が高くかつ肌触りの良い表面層１２（布地）が背当て部５０やショルダーハーネス４４の内面４８を構成するため、消臭機能付き不織布（裏面層１４）単独で用いる場合又は裏面層１４が背当て部５０やショルダーハーネス４４の内面４８を構成する場合と比較して、機械的強度及び肌触りに優れた機能性の高いリュックサック４０とすることが可能となる。
【００４７】
なお、リュックサック４０は、上述した複合布地１０を少なくとも一部の領域に備えるものであれば、図示の形状や上記の構造に限定されるものではなく、従来のリュックサックに使用される公知の形状及び構造を採用することができる。特に、第３実施形態に係るリュックサック４０において、複合布地１０の結合部１６は、着用者の肌触りや引っ掛かり防止の観点から、図示の格子状ではなく、表面層１２（布地）及び不織布（裏面層１４）の周縁のみを結合する構成を採用することが好ましい場合もあり得る。
【００４８】
以上、本考案の好適な実施形態を例示して説明したが、本考案の技術的範囲は、上述した実施形態に記載の範囲には限定されない。上記各実施形態には、多様な変更又は改良を加えることが可能である。
【００４９】
例えば、上述した各実施形態では、複合布地１０が、かばん類、ペット用ベッド又はリュックサック（ショルダーハーネス）に用いられるものとして説明したが、これに限定されず、任意の布製品に用いることが可能である。このような布製品としては、例えば、ヘルメット用汗取りパッド、ヘルメットの裏地、帽子の裏地、靴の下敷き、靴下、マスク、ソファーカバー、枕カバー、マット、座布団、カーペット等、種々のものを挙げることができる。
【００５０】
例えば、上述した各実施形態では、結合部１６が、表面層１２（布地）と裏面層１４（不織布）の少なくとも一部が糸により縫合されることにより形成されるものと説明したが、これに限定されず、表面層１２（布地）と裏面層１４（不織布）の少なくとも一部を接着剤等により結合する方法や、熱やエンボス等により結合させる方法等の種々の任意の結合方法を採用可能である。
【００５１】
また、上述した各実施形態では、複合布地１０が、格子状に縫合されることにより形成された結合部１６を有するものとして説明したが、これに限定されず、結合部１６は、表面層１２（布地）及び裏面層１４（不織布）の周縁のみを縫合する構成や、ストライプ状等に縫合する構成等の種々の任意の構成を採用することが可能である。
【００５２】
さらに、上述した各実施形態では、複合布地１０が表面層１２と裏面層１４の二層構造であるものとして説明したが、これに限定されず、表面層１２を介して裏面層１４に通気させ、該裏面層１４において消臭可能な構成であれば、三層以上の構成であっても良く、例えば、表面層１２と裏面層１４の間に中間層が配される構成や、裏面層１４（不織布）側に更に布地が積層される構成等とすることも可能である。
【００５３】
上記のような変形例が本考案の範囲に含まれることは、実用新案登録請求の範囲の記載から明らかである。
【符号の説明】
【００５４】
１０      ：複合布地
１２      ：表面層
１４      ：裏面層
１６      ：結合部
２０      ：かばん
２２      ：かばん本体
２４      ：持ち手部
２６      ：外面
２８      ：内面
３０      ：ペット用ベッド
３２      ：枠部
３４      ：マット
３６      ：表面
４０      ：リュックサック
４２      ：収容部
４４      ：ショルダーハーネス
４５      ：外面
４６      ：外面
４８      ：内面
５０      ：背当て部
【図１】
0003228423.tif 000003
【図２】
0003228423.tif 000004
【図３】
0003228423.tif 000005
【図４】
0003228423.tif 000006
【図５】
0003228423.tif 000007